(57)【要約】【課題】  外気を導入することなく室内空気の循環だけを通じて室内空気の加湿を遂行することができる換気装置を提供する。【解決手段】  本体内に設置され、相互に区画状態に交差する第１の空気通路と第２の空気通路とを備える電熱交換機と、室外空気が電熱交換機の第１の空気通路を経て室内に供給されるように本体内に形成された給気流路と、給気流路内に設置される第１の送風ファンと、室内空気が前記電熱交換機の第２の空気通路を経て室外に排出されるように本体内に形成された排気流路と、排気流路内に設置された第２の送風ファンと、給気流路の電熱交換機下流に設置された加湿装置と、室内空気が加湿装置を経て室内に供給されるように、電熱交換機の上流側の排気流路と電熱交換機の下流側の給気流路との間に形成された迂回流路と、迂回流路を開閉する第１のダンパーと、排気流路の出口と給気流路の入口をそれぞれ開閉する第２及び第３のダンパーとを備える。【選択図】      図１
2006125825.tif 000002
【特許請求の範囲】
【請求項１】
本体内に設置され、相互に区画状態に交差する第１の空気通路と第２の空気通路とを備える電熱交換機と、
室外空気が前記電熱交換機の第１の空気通路を経て室内に供給されるように前記本体内に形成された給気流路と、
前記給気流路内に設置される第１の送風ファンと、
室内空気が前記電熱交換機の第２の空気通路を経て室外に排出されるように前記本体内に形成された排気流路と、
前記排気流路内に設置された第２の送風ファンと、
前記給気流路の前記電熱交換機下流に設置された加湿装置と、
室内空気が前記加湿装置を経て室内に供給されるように、前記電熱交換機の上流側の前記排気流路と前記電熱交換機の下流側の給気流路との間に形成された迂回流路と、
前記迂回流路を開閉する第１のダンパーと、
前記排気流路の出口と前記給気流路の入口をそれぞれ開閉する第２及び第３のダンパーとを備えることを特徴とする換気装置。
【請求項２】
前記第１の送風ファンが、前記給気流路内の前記電熱交換機の下流に設置され、前記第２の送風ファンが、前記排気流路内の前記電熱交換機の下流に設置されることを特徴とする請求項１に記載の換気装置。
【請求項３】
前記電熱交換機の第１の空気通路を通過した室外空気が前記加湿装置を経由するか、前記加湿装置を迂回して室内空間に流入するように、前記給気流路の前記電熱交換機の下流側で流路を切り換える第４のダンパーを備えることを特徴とする請求項２に記載の換気装置。
【請求項４】
前記給気流路の前記電熱交換機の上流側に設置される浄化フィルターをさらに備えることを特徴とする請求項３に記載の換気装置。
【請求項５】
前記第１のダンパーが閉鎖され、前記第２及び第３のダンパーが開放され、前記第４のダンパーが前記加湿装置側の流路を閉鎖した状態で、前記第１及び第２の送風ファンが動作するときに、加湿動作なしで換気を遂行することを特徴とする請求項４に記載の換気装置。
【請求項６】
前記第１のダンパーが閉鎖され、前記第２及び第３のダンパーが開放され、前記第４のダンパーが前記加湿装置側の流路を開放した状態で、前記第１及び第２の送風ファンが動作するときに、加湿動作とともに換気を遂行することを特徴とする請求項４に記載の換気装置。
【請求項７】
前記第１のダンパーが開放され、前記第２及び第３のダンパーが閉鎖された状態で、前記第１の送風ファンが動作するときに、外気の導入なしで室内空気の循環がなされながら室内空気の加湿を遂行することを特徴とする請求項４に記載の換気装置。
【請求項８】
前記本体は、室内空間と連通するものとして、前記給気流路と連通する室内流入口、前記排気流路と連通する室内排出口と、を備え、
室外空間と連通するものとして、前記給気流路と連通する室外流入口、前記排気流路と連通する室外排出口とを備えることを特徴とする請求項１に記載の換気装置。
【発明の詳細な説明】
【技術分野】
【０００１】
本発明は、換気装置に関し、より詳細には、換気と加湿を共に遂行することができ、外気を導入することなく室内空気の循環だけを通じて加湿を遂行することができる換気装置に関する。
【背景技術】
【０００２】
特許文献１には、室内から室外に排出される空気と室外から室内に流入する空気とが、換気過程で相互に熱交換されるようにする熱交換型の換気装置が開示されている。この換気装置は、室内側に内気流入口と外気排出口が形成されており、室外側に外気流入口と内気排出口が形成されたフレームを備え、該フレームの内部に、内気送風器、外気送風器及び熱交換器を備える。その他にも、フレームの内部には、浄化フィルター、ヒーター、加湿装置などが設置されている。
【０００３】
この換気装置は、内気送風器と外気送風器が動作するときに、室内側の内気流入口から流入する室内空気が、熱交換器を通過した後に室外側の内気排出口を通して外部に排出され、室外側の外気流入口から流入する室外空気が、浄化フィルター、熱交換器、ヒーター、加湿装置を順に通過した後に室内側の外気排出口を通して室内に供給される。このときに、室外と室内の空気は混ざり合わないまま熱交換器の内部を交差するように通過しながら相互に熱交換をする。
【０００４】
しかしながら、この種の換気装置は、冬に室内空間の加湿のために運転をする場合にも、室内空気が外部に排出され、室外空気が室内に流入する換気がなされるために、冷たい外気が導入されて室内空間の熱損失が大きくなるのみならず、導入される外気の温度が低い場合に、熱交換器に結露や結氷が生じる問題があった。
【０００５】
しかも、この種の換気装置は、外部から導入される室外空気のみを加湿して室内空気の調和を遂行する仕組みとなっているため、外気を導入することなく室内空気の循環だけで加湿を遂行することはできない不具合があった。
【特許文献１】大韓民国公開特許公報２００１−１０７４０２号
【発明の開示】
【発明が解決しようとする課題】
【０００６】
本発明は、上記事情に鑑みて、通常の換気とともに加湿を遂行することができるのみならず、外気を導入することなく室内空気の循環だけを通じて室内空気の加湿を遂行することができる換気装置を提供することに目的がある。
【課題を解決するための手段】
【０００７】
上記の目的を達成するための本発明による換気装置は、本体内に設置され、相互に区画状態に交差する第１の空気通路と第２の空気通路とを備える電熱交換機と、室外空気が前記電熱交換機の第１の空気通路を経て室内に供給されるように前記本体内に形成された給気流路と、前記給気流路内に設置される第１の送風ファンと、室内空気が前記電熱交換機の第２の空気通路を経て室外に排出されるように前記本体内に形成された排気流路と、前記排気流路内に設置された第２の送風ファンと、前記給気流路の前記電熱交換機下流に設置された加湿装置と、室内空気が前記加湿装置を経て室内に供給されるように、前記電熱交換機の上流側の前記排気流路と前記電熱交換機の下流側の給気流路との間に形成された迂回流路と、前記迂回流路を開閉する第１のダンパーと、前記排気流路の出口と前記給気流路の入口をそれぞれ開閉する第２及び第３のダンパーとを備えることを特徴とする。
【０００８】
また、本発明による換気装置は、前記第１の送風ファンが、前記給気流路内の前記電熱交換機の下流に設置され、前記第２の送風ファンが、前記排気流路内の前記電熱交換機の下流に設置されることを特徴とする。
【０００９】
また、本発明による換気装置は、前記電熱交換機の第１の空気通路を通過した室外空気が前記加湿装置を経由するか、前記加湿装置を迂回して室内空間に流入するように、前記給気流路の前記電熱交換機の下流側で流路を切り換える第４のダンパーを備えることを特徴とする。
【００１０】
また、本発明による換気装置は、前記給気流路の前記電熱交換機の上流側に設置される浄化フィルターをさらに備えることを特徴とする。
【００１１】
また、本発明による換気装置は、前記第１のダンパーが閉鎖され、前記第２及び第３のダンパーが開放され、前記第４のダンパーが前記加湿装置側の流路を閉鎖した状態で、前記第１及び第２の送風ファンが動作するときに、加湿動作なしで換気を遂行することを特徴とする。
【００１２】
また、本発明による換気装置は、前記第１のダンパーが閉鎖され、前記第２及び第３のダンパーが開放され、前記第４のダンパーが前記加湿装置側の流路を開放した状態で、前記第１及び第２の送風ファンが動作するときに、加湿動作とともに換気を遂行することを特徴とする。
【００１３】
また、本発明による換気装置は、前記第１のダンパーが開放され、前記第２及び第３のダンパーが閉鎖された状態で、前記第１の送風ファンが動作するときに、外気の導入なしで室内空気の循環がなされながら室内空気の加湿を遂行することを特徴とする。
【００１４】
また、前記本体は、室内空間と連通するものとして、前記給気流路と連通する室内流入口、前記排気流路と連通する室内排出口とを備え、室外空間と連通するものとして、前記給気流路と連通する室外流入口、前記排気流路と連通する室外排出口とを備えることを特徴とする。
【発明の効果】
【００１５】
本発明による換気装置は、室内空気の循環のための迂回流路及びこれを開閉する第１のダンパーを備え、室外排出口と室外流入口をそれぞれ開閉する第２及び第３のダンパーを備え、外部から流入する空気の流路切換のための第４のダンパーを備えるため、使用者の選択によって換気機能だけを遂行したり、換気とともに加湿を遂行することができ、かつ、外気を導入することなく室内空気の循環だけを通じて加湿を遂行することが可能になる。
【発明を実施するための最良の形態】
【００１６】
以下、本発明の望ましい実施形態について、添付図面を参照しつつ詳細に説明する。
【００１７】
本発明による換気装置は、図１及び図２に示すように、四角の箱形態を有する本体１０の内部空間が、仕切り板１１，１２によって上部と下部とに区画される。また、本体１０の室内側には、それぞれ連結ダクト１３，１４を介して室内空間と連通する室内流入口１５及び室内排出口１６が形成され、本体１０の室外側には、それぞれ連結ダクト１７，１８を介して室外空間と連通する室外流入口１９及び室外排出口２０が形成される。
【００１８】
本体１０の内部には、室外から流入する空気と室内から排出される空気との熱交換のための電熱交換機３０が設置される。この電熱交換機３０は、通常の電熱交換機と同様に、相対向する第１の側面３１と第２の側面３２とが、第１の空気通路３０ａを介して連通し、また、相対向する第３の側面３３と第４の側面３４とが、第１の空気通路３０ａと区画される第２の空気通路３０ｂを介して連通する。これによって、室内空気と室外空気は、電熱交換機３０の第１の空気通路３０ａと第２の空気通路３０ｂを相互に交差するように通過しながら熱交換をするようになる。
【００１９】
また、本体１０の内部には、室内空間の換気のために室外流入口１９から流入する室外空気が、電熱交換機３０の第１の空気通路３０ａを経て室内排出口１６を通して排出されるようにする給気流路と、室内流入口１５から流入する室内空気が、電熱交換機３０の第２の空気通路３０ｂを経て室外排出口２０を通して排出されるようにする排気流路とを備える。これら給気流路と排気流路は、電熱交換機３０の両側の仕切り板１１，１２によって本体１０の内部空間が上部と下部とに区画されることによってなる。
【００２０】
すなわち、給気流路は、室外流入口１９と電熱交換機３０の第１の空気通路３０ａの入口とが連通するように形成される第１の給気流路４１と、電熱交換機３０の第１の空気通路３０ａを通過した空気が、室内排出口１６を通して排出されるように第１の給気流路４１の反対側の上部に形成される第２の給気流路４２とを備える。したがって、室外空気は、第１の給気流路４１、電熱交換機の第１の空気通路３０ａ、第２の給気流路４２、室内排出口１６を順に経て室内空間に供給される。また、第２の給気流路４２内の、室内排出口１６と近接する位置には、給気流路を通して空気が送風されるようにする第１の送風ファン４３が設置される。
【００２１】
排気流路は、室内流入口１５と電熱交換機３０の第２の空気通路３０ｂの入口とが連通するように、第２の給気流路４２の下部に区画形成される第１の排気流路５１と、電熱交換機３０の第２の空気通路３０ｂを通過した空気が室外排出口２０を通して排出されるように、第１の給気流路４１の上部に区画形成される第２の排気流路５２と、を備える。したがって、室内空気は、室内流入口１５、第１の排気流路５１、電熱交換機３０の第２の空気通路３０ｂ、第２の排気流路５２、室外排出口２０を順に経て室外に排出される。また、第２の排気流路５２の内部には、排気流路を通して空気が送風されるようにする第２の送風ファン５３が設置される。
【００２２】
また、第１の給気流路４１の内部空間には、室外流入口１９から流入する室外空気を浄化させるための浄化フィルター４４が設置され、第２の給気流路４２の内部には、室内空間に供給される空気を加湿するための加湿装置４５が設置される。加湿装置４５には、通気可能な織物などに水分を供給しながら空気をこれに通過させることによって加湿を行ったり、ヒーターによって水分が蒸発されながら空気の加湿がなされるようにしたり、振動子を用いて水を霧化させる方式などが採用される。
【００２３】
さらに、本発明は、図４に示すように、外気を導入することなく室内空気の循環だけを通じて室内空気の加湿を別途に遂行可能にするために、第１の排気流路５１と第２の給気流路４２とを区画する仕切り板１２に連通するように形成される迂回流路６０と、この迂回流路６０を開閉する第１のダンパー６１と、を備える。この構成によって、室内流入口１５から第１の排気流路５１に流入した室内空気は、迂回流路６０、第２の給気流路４２、加湿装置４５、第１の送風ファン４３、室内排出口１６を順に経て再び室内空間に供給され、この結果、外気の導入なしで室内空気の加湿を遂行することが可能になる。
【００２４】
また、本発明は、外気を導入することなく室内空気の循環だけを通じて加湿を遂行するときに、室外排出口２０と室外流入口１９を閉鎖すべく、室外排出口２０と室外流入口１９にそれぞれ開閉可能に設置される第２及び第３のダンパー６２，６３を備える。
【００２５】
また、第２の給気流路４２には、電熱交換機３０の第１の空気通路３０ａを経て第２の給気流路４２側に流入する室外空気が、加湿装置４５を経由したり加湿装置４５を迂回して室内空間に供給されるように流路を切り換える第４のダンパー６４が設置される。この構成のために、第２の給気流路４２内には、電熱交換機３０の第１の空気通路３０ａの出口側と第１の送風ファン４３が設置された側とを区画する仕切り板７１が設置され、この仕切り板７１には、電熱交換機３０を通過した空気が加湿装置４５の上流側に案内されるようにする第１の連通口７２と、電熱交換機３０を通過した空気が加湿装置４５の下流側に案内されるようにする第２の連通口７３とが形成される。また、第４のダンパー６４は、回転する動作によって第１の連通口７２と第２の連通口７３のいずれかが選択的に閉鎖されるようにする。また、第２の給気流路４２内には、第１の連通口７２を通過した空気が加湿装置４５側に案内されるように内部を区画する案内板７４が設置される。
【００２６】
次に、上記のように構成される換気装置の動作について説明する。
【００２７】
加湿動作なしで室内空間の換気を遂行するときには、図１に示すように、第１のダンパー６１が閉じ、第２及び第３のダンパー６２，６３が開き、第４のダンパー６４が第１の連通口７２を閉鎖するように動作する。すなわち、第４のダンパー６４は、電熱交換機３０を通過した室外空気が、加湿装置４５を迂回するように働く。また、第１の送風ファン４３と第２の送風ファン５３が駆動し、加湿装置４５は動作しない。
【００２８】
したがって、室外空気は、室外流入口１９、第１の給気流路４１、浄化フィルター４４、電熱交換機３０の第１の空気通路３０ａ、第２の給気流路４２内の第２の連通口７３、第１の送風ファン４３、室内排出口１６を順に経て室内空間に供給される。このときに室外から流入する空気は、浄化フィルター４４を通りながら浄化されるが、第２の給気流路４２で加湿装置４５を迂回するため、加湿はなされない。一方、室内空気は、室内流入口１５、第１の排気流路５１、電熱交換機３０の第２の空気通路３０ｂ、第２の排気流路５２、第２の送風ファン５３、室外排出口２０を順に経て室外に排出される。
【００２９】
室内の換気と加湿を同時に遂行するときには、図３に示すように、第１のダンパー６１が閉じ、第２及び第３のダンパー６２，６３が開き、第４のダンパー６４が第２の連通口７３を閉鎖するように動作する。すなわち、第４のダンパー６４は、電熱交換機３０を通過した室外空気が加湿装置４５の上流に流れるように第１の連通口７２を開放し、第２の連通口７３を閉鎖する。また、第１の送風ファン４３と第２の送風ファン５３が駆動し、加湿装置４５が動作する。
【００３０】
したがって、室外空気は、室外流入口１９、第１の給気流路４１、浄化フィルター４４、電熱交換機の第１の空気通路３０ａ、第２の給気流路４２内の第１の連通口７２、加湿装置４５、第１の送風ファン４３、室内排出口１６を順に経て室内空間に供給される。このときに室外から流入する空気は、浄化フィルター４４を通りながら浄化され、加湿装置４５を通りながら加湿された後に、室内空間に供給される。一方、室内空気は、室内流入口１５、第１の排気流路５１、電熱交換機３０の第２の空気通路３０ｂ、第２の排気流路５２、第２の送風ファン５３、室外排出口２０を順に経て室外に排出される。
【００３１】
室内空気を換気することなく(すなわち、外気を導入することなく)室内空気の加湿だけを遂行するときには、図４に示すように、第１のダンパー６１が開き、第２及び第３のダンパー６２，６３は閉じる。また、第１の送風ファン４３は動作するが、第２の送風ファン５３は動作しない。また、このときに第４のダンパー６４は、第１及び第２の連通口７２，７３のいずれか一方を閉鎖する(第４のダンパーは、迂回流路６０を通過した空気が加湿装置を迂回しないようにいずれか一方を閉鎖しさえすれば良い)。
【００３２】
したがって、室内空気は、室内流入口１５、第１の排気流路５１、迂回流路６０、加湿装置４５、第１の送風ファン４３、室内排出口１６を順に経て再び室内に供給される。このときに、室外流入口１９と室外排出口２０は、第２及び第３のダンパー６２，６３によって閉鎖された状態にあるため、外気の流入は発生しない。また、循環する室内空気は全て加湿装置４５を通過するため、室内空間の加湿がなされる。
【図面の簡単な説明】
【００３３】
【図１】本発明による換気装置の構成を示す斜視図であって、加湿動作なしで換気がなされる状態を示すものである。
【図２】本発明による換気装置の構成を示す断面図であって、加湿動作なしで換気がなされる状態を示すものである。
【図３】本発明による換気装置の構成を示す斜視図であって、換気とともに加湿動作がなされる状態を示すものである。
【図４】図１のIV−IV’線に沿う断面図であって、外気の導入なしで換気がなされる状態を示すものである。
【符号の説明】
【００３４】
１０    本体
１５    室内流入口
１６    室内排出口
１９    室外流入口
２０    室外排出口
３０    電熱交換機
３０ａ  第１の空気通路
３０ｂ  第２の空気通路
４１    第１の給気流路
４２    第２の給気流路
４３    第１の送風ファン
４４    浄化フィルター
４５    加湿装置
５１    第１の排気流路
５２    第２の排気流路
６０    迂回流路
６１    第１のダンパー
６２    第２のダンパー
６３    第３のダンパー
６４    第４のダンパー
【図１】
2006125825.tif 000003
【図２】
2006125825.tif 000004
【図３】
2006125825.tif 000005
【図４】
2006125825.tif 000006
【手続補正書】
【提出日】平成18年3月7日(2006.3.7)
【手続補正１】
【補正対象書類名】特許請求の範囲
【補正対象項目名】全文
【補正方法】変更
【補正の内容】
【特許請求の範囲】
【請求項１】
室内と室外をつなぐように設置される本体と、
前記本体内に設置される転熱交換器と、
前記本体内に設置され、室外空気を前記転熱交換器を経て室内に流入させる給気流路と、
前記本体内に設置され、室内空気を前記転熱交換器を経て室外に排出する排気流路と、
前記給気流路の前記転熱交換器の下流に設置された加湿装置と、を備える換気装置であって、
室内空気が前記加湿装置を経て室内に供給されるように、前記排気流路の転熱交換器の上流側と、前記給気流路の前記加湿装置の上流側とをつなぐ第１の迂回流路が設置されることを特徴とする換気装置。
【請求項２】
前記第１の迂回流路を開閉する第１のダンパーをさらに備えることを特徴とする請求項１に記載の換気装置。
【請求項３】
前記換気装置が加湿モードで運転しようとする際には、前記第１の迂回流路の第１のダンパーを開放し、排気流路が前記第１の迂回流路及び前記加湿装置を経て室内に流入するようにすることを特徴とする請求項２に記載の換気装置。
【請求項４】
前記給気流路の前記転熱交換器の下流側に、室外空気が前記加湿装置を迂回して室内に流入するようにする第２の迂回流路をさらに備えることを特徴とする請求項１に記載の換気装置。
【請求項５】
前記第２の迂回流路を開閉する第２のダンパーをさらに備えることを特徴とする請求項４に記載の換気装置。
【請求項６】
前記換気装置が加湿なしで換気モードで運転しようとする際には、前記第２の迂回流路の第２のダンパーを開放し、室外空気が転熱交換器を経て室内に流入することを特徴とする請求項４に記載の換気装置。
【請求項７】
室内と室外をつなぐように設置される本体と、
前記本体内に設置される転熱交換器と、
前記本体内に設置され、室外空気を前記転熱交換器を経て室内に流入させる給気流路と、
前記本体内に設置され、室内空気を前記転熱交換器を経て室外に排出する排気流路と、
前記給気流路の前記転熱交換器の下流に設置された加湿装置と、を備える換気装置であって、
前記給気流路の前記転熱交換器の下流側に、室外空気が前記加湿装置を迂回して室内に流入するようにする迂回流路を備えることを特徴とする換気装置。
【請求項８】
前記迂回流路を開閉するダンパーをさらに備えることを特徴とする請求項７に記載の換気装置。
【請求項９】
前記換気装置が加湿なしで換気モードで運転しようとする際には、前記迂回流路のダンパーを開放し、室外空気が転熱交換器を経て室内に流入することを特徴とする請求項８に記載の換気装置。
【手続補正２】
【補正対象書類名】明細書
【補正対象項目名】全文
【補正方法】変更
【補正の内容】
【発明の詳細な説明】
【技術分野】
【０００１】
本発明は、換気装置に関し、より詳細には、換気と加湿を共に遂行することができ、外気を導入することなく室内空気の循環だけを通じて加湿を遂行することができる換気装置に関する。
【背景技術】
【０００２】
特許文献１には、室内から室外に排出される空気と室外から室内に流入する空気とが、換気過程で相互に熱交換されるようにする熱交換型の換気装置が開示されている。この換気装置は、室内側に内気流入口と外気排出口が形成されており、室外側に外気流入口と内気排出口が形成されたフレームを備え、該フレームの内部に、内気送風器、外気送風器及び熱交換器を備える。その他にも、フレームの内部には、浄化フィルター、ヒーター、加湿装置などが設置されている。
【０００３】
この換気装置は、内気送風器と外気送風器が動作するときに、室内側の内気流入口から流入する室内空気が、熱交換器を通過した後に室外側の内気排出口を通して外部に排出され、室外側の外気流入口から流入する室外空気が、浄化フィルター、熱交換器、ヒーター、加湿装置を順に通過した後に室内側の外気排出口を通して室内に供給される。このときに、室外と室内の空気は混ざり合わないまま熱交換器の内部を交差するように通過しながら相互に熱交換をする。
【０００４】
しかしながら、この種の換気装置は、冬に室内空間の加湿のために運転をする場合にも、室内空気が外部に排出され、室外空気が室内に流入する換気がなされるために、冷たい外気が導入されて室内空間の熱損失が大きくなるのみならず、導入される外気の温度が低い場合に、熱交換器に結露や結氷が生じる問題があった。
【０００５】
しかも、この種の換気装置は、外部から導入される室外空気のみを加湿して室内空気の調和を遂行する仕組みとなっているため、外気を導入することなく室内空気の循環だけで加湿を遂行することはできない不具合があった。
【特許文献１】大韓民国公開特許公報２００１−１０７４０２号
【発明の開示】
【発明が解決しようとする課題】
【０００６】
本発明は、上記事情に鑑みて、通常の換気とともに加湿を遂行することができるのみならず、外気を導入することなく室内空気の循環だけを通じて室内空気の加湿を遂行することができる換気装置を提供することに目的がある。
【課題を解決するための手段】
【０００７】
上記の目的を達成するための本発明に係る換気装置は、室内と室外をつなぐように設置される本体と、前記本体内に設置される転熱交換器と、前記本体内に設置され、室外空気を前記転熱交換器を経て室内に流入させる給気流路と、前記本体内に設置され、室内空気を前記転熱交換器を経て室外に排出する排気流路と、前記給気流路の前記転熱交換器の下流に設置された加湿装置と、を備える換気装置であって、室内空気が前記加湿装置を経て室内に供給されるように、前記排気流路の転熱交換器の上流側と、前記給気流路の前記加湿装置の上流側とをつなぐ第１の迂回流路が設置されることを特徴とする。
【０００８】
また、本発明は、前記第１の迂回流路を開閉する第１のダンパーをさらに備えることを特徴とする。
【０００９】
また、前記換気装置が加湿モードで運転しようとする際には、前記第１の迂回流路の第１のダンパーを開放し、排気流路が前記第１の迂回流路及び前記加湿装置を経て室内に流入するようにすることを特徴とする。
【００１０】
また、本発明は、前記給気流路の前記転熱交換器の下流側に、室外空気が前記加湿装置を迂回して室内に流入するようにする第２の迂回流路をさらに備えることを特徴とする。
【００１１】
また、本発明は、前記第２の迂回流路を開閉する第２のダンパーをさらに備えることを特徴とする。
【００１２】
また、前記換気装置が加湿なしで換気モードで運転しようとする際には、前記第２の迂回流路の第２のダンパーを開放し、室外空気が転熱交換器を経て室内に流入することを特徴とする。
【００１３】
また、本発明に係る換気装置は、室内と室外をつなぐように設置される本体と、前記本体内に設置される転熱交換器と、前記本体内に設置され、室外空気を前記転熱交換器を経て室内に流入させる給気流路と、前記本体内に設置され、室内空気を前記転熱交換器を経て室外に排出する排気流路と、前記給気流路の前記転熱交換器の下流に設置された加湿装置と、を備える換気装置であって、前記給気流路の前記転熱交換器の下流側に、室外空気が前記加湿装置を迂回して室内に流入するようにする迂回流路を備えることを特徴とする。
【００１４】
また、本発明は、前記迂回流路を開閉するダンパーをさらに備えることを特徴とする。
【００１５】
また、前記換気装置が加湿なしで換気モードで運転しようとする際には、前記迂回流路のダンパーを開放し、室外空気が転熱交換器を経て室内に流入することを特徴とする。
【発明の効果】
【００１６】
本発明による換気装置は、室内空気の循環のための迂回流路及びこれを開閉する第１のダンパーを備え、室外排出口と室外流入口をそれぞれ開閉する第２及び第３のダンパーを備え、外部から流入する空気の流路切換のための第４のダンパーを備えるため、使用者の選択によって換気機能だけを遂行したり、換気とともに加湿を遂行することができ、かつ、外気を導入することなく室内空気の循環だけを通じて加湿を遂行することが可能になる。
【発明を実施するための最良の形態】
【００１７】
以下、本発明の望ましい実施形態について、添付図面を参照しつつ詳細に説明する。
【００１８】
本発明による換気装置は、図１及び図２に示すように、四角の箱形態を有する本体１０の内部空間が、仕切り板１１，１２によって上部と下部とに区画される。また、本体１０の室内側には、それぞれ連結ダクト１３，１４を介して室内空間と連通する室内流入口１５及び室内排出口１６が形成され、本体１０の室外側には、それぞれ連結ダクト１７，１８を介して室外空間と連通する室外流入口１９及び室外排出口２０が形成される。
【００１９】
本体１０の内部には、室外から流入する空気と室内から排出される空気との熱交換のための転熱交換器３０が設置される。この転熱交換器３０は、通常の転熱交換器と同様に、相対向する第１の側面３１と第２の側面３２とが、第１の空気通路３０ａを介して連通し、また、相対向する第３の側面３３と第４の側面３４とが、第１の空気通路３０ａと区画される第２の空気通路３０ｂを介して連通する。これによって、室内空気と室外空気は、転熱交換器３０の第１の空気通路３０ａと第２の空気通路３０ｂを相互に交差するように通過しながら熱交換をするようになる。
【００２０】
また、本体１０の内部には、室内空間の換気のために室外流入口１９から流入する室外空気が、転熱交換器３０の第１の空気通路３０ａを経て室内排出口１６を通して排出されるようにする給気流路と、室内流入口１５から流入する室内空気が、転熱交換器３０の第２の空気通路３０ｂを経て室外排出口２０を通して排出されるようにする排気流路とを備える。これら給気流路と排気流路は、転熱交換器３０の両側の仕切り板１１，１２によって本体１０の内部空間が上部と下部とに区画されることによってなる。
【００２１】
すなわち、給気流路は、室外流入口１９と転熱交換器３０の第１の空気通路３０ａの入口とが連通するように形成される第１の給気流路４１と、転熱交換器３０の第１の空気通路３０ａを通過した空気が、室内排出口１６を通して排出されるように第１の給気流路４１の反対側の上部に形成される第２の給気流路４２とを備える。したがって、室外空気は、第１の給気流路４１、転熱交換器の第１の空気通路３０ａ、第２の給気流路４２、室内排出口１６を順に経て室内空間に供給される。また、第２の給気流路４２内の、室内排出口１６と近接する位置には、給気流路を通して空気が送風されるようにする第１の送風ファン４３が設置される。
【００２２】
排気流路は、室内流入口１５と転熱交換器３０の第２の空気通路３０ｂの入口とが連通するように、第２の給気流路４２の下部に区画形成される第１の排気流路５１と、転熱交換器３０の第２の空気通路３０ｂを通過した空気が室外排出口２０を通して排出されるように、第１の給気流路４１の上部に区画形成される第２の排気流路５２と、を備える。したがって、室内空気は、室内流入口１５、第１の排気流路５１、転熱交換器３０の第２の空気通路３０ｂ、第２の排気流路５２、室外排出口２０を順に経て室外に排出される。また、第２の排気流路５２の内部には、排気流路を通して空気が送風されるようにする第２の送風ファン５３が設置される。
【００２３】
また、第１の給気流路４１の内部空間には、室外流入口１９から流入する室外空気を浄化させるための浄化フィルター４４が設置され、第２の給気流路４２の内部には、室内空間に供給される空気を加湿するための加湿装置４５が設置される。加湿装置４５には、通気可能な織物などに水分を供給しながら空気をこれに通過させることによって加湿を行ったり、ヒーターによって水分が蒸発されながら空気の加湿がなされるようにしたり、振動子を用いて水を霧化させる方式などが採用される。
【００２４】
さらに、本発明は、図４に示すように、外気を導入することなく室内空気の循環だけを通じて室内空気の加湿を別途に遂行可能にするために、第１の排気流路５１と第２の給気流路４２とを区画する仕切り板１２に連通するように形成される迂回流路６０と、この迂回流路６０を開閉する第１のダンパー６１と、を備える。この構成によって、室内流入口１５から第１の排気流路５１に流入した室内空気は、迂回流路６０、第２の給気流路４２、加湿装置４５、第１の送風ファン４３、室内排出口１６を順に経て再び室内空間に供給され、この結果、外気の導入なしで室内空気の加湿を遂行することが可能になる。
【００２５】
また、本発明は、外気を導入することなく室内空気の循環だけを通じて加湿を遂行するときに、室外排出口２０と室外流入口１９を閉鎖すべく、室外排出口２０と室外流入口１９にそれぞれ開閉可能に設置される第２及び第３のダンパー６２，６３を備える。
【００２６】
また、第２の給気流路４２には、転熱交換器３０の第１の空気通路３０ａを経て第２の給気流路４２側に流入する室外空気が、加湿装置４５を経由したり加湿装置４５を迂回して室内空間に供給されるように流路を切り換える第４のダンパー６４が設置される。この構成のために、第２の給気流路４２内には、転熱交換器３０の第１の空気通路３０ａの出口側と第１の送風ファン４３が設置された側とを区画する仕切り板７１が設置され、この仕切り板７１には、転熱交換器３０を通過した空気が加湿装置４５の上流側に案内されるようにする第１の連通口７２と、転熱交換器３０を通過した空気が加湿装置４５の下流側に案内されるようにする第２の連通口７３とが形成される。また、第４のダンパー６４は、回転する動作によって第１の連通口７２と第２の連通口７３のいずれかが選択的に閉鎖されるようにする。また、第２の給気流路４２内には、第１の連通口７２を通過した空気が加湿装置４５側に案内されるように内部を区画する案内板７４が設置される。
【００２７】
次に、上記のように構成される換気装置の動作について説明する。
【００２８】
加湿動作なしで室内空間の換気を遂行するときには、図１に示すように、第１のダンパー６１が閉じ、第２及び第３のダンパー６２，６３が開き、第４のダンパー６４が第１の連通口７２を閉鎖するように動作する。すなわち、第４のダンパー６４は、転熱交換器３０を通過した室外空気が、加湿装置４５を迂回するように働く。また、第１の送風ファン４３と第２の送風ファン５３が駆動し、加湿装置４５は動作しない。
【００２９】
したがって、室外空気は、室外流入口１９、第１の給気流路４１、浄化フィルター４４、転熱交換器３０の第１の空気通路３０ａ、第２の給気流路４２内の第２の連通口７３、第１の送風ファン４３、室内排出口１６を順に経て室内空間に供給される。このときに室外から流入する空気は、浄化フィルター４４を通りながら浄化されるが、第２の給気流路４２で加湿装置４５を迂回するため、加湿はなされない。一方、室内空気は、室内流入口１５、第１の排気流路５１、転熱交換器３０の第２の空気通路３０ｂ、第２の排気流路５２、第２の送風ファン５３、室外排出口２０を順に経て室外に排出される。
【００３０】
室内の換気と加湿を同時に遂行するときには、図３に示すように、第１のダンパー６１が閉じ、第２及び第３のダンパー６２，６３が開き、第４のダンパー６４が第２の連通口７３を閉鎖するように動作する。すなわち、第４のダンパー６４は、転熱交換器３０を通過した室外空気が加湿装置４５の上流に流れるように第１の連通口７２を開放し、第２の連通口７３を閉鎖する。また、第１の送風ファン４３と第２の送風ファン５３が駆動し、加湿装置４５が動作する。
【００３１】
したがって、室外空気は、室外流入口１９、第１の給気流路４１、浄化フィルター４４、転熱交換器の第１の空気通路３０ａ、第２の給気流路４２内の第１の連通口７２、加湿装置４５、第１の送風ファン４３、室内排出口１６を順に経て室内空間に供給される。このときに室外から流入する空気は、浄化フィルター４４を通りながら浄化され、加湿装置４５を通りながら加湿された後に、室内空間に供給される。一方、室内空気は、室内流入口１５、第１の排気流路５１、転熱交換器３０の第２の空気通路３０ｂ、第２の排気流路５２、第２の送風ファン５３、室外排出口２０を順に経て室外に排出される。
【００３２】
室内空気を換気することなく（すなわち、外気を導入することなく）室内空気の加湿だけを遂行するときには、図４に示すように、第１のダンパー６１が開き、第２及び第３のダンパー６２，６３は閉じる。また、第１の送風ファン４３は動作するが、第２の送風ファン５３は動作しない。また、このときに第４のダンパー６４は、第１及び第２の連通口７２，７３のいずれか一方を閉鎖する（第４のダンパーは、迂回流路６０を通過した空気が加湿装置を迂回しないようにいずれか一方を閉鎖しさえすれば良い）。
【００３３】
したがって、室内空気は、室内流入口１５、第１の排気流路５１、迂回流路６０、加湿装置４５、第１の送風ファン４３、室内排出口１６を順に経て再び室内に供給される。このときに、室外流入口１９と室外排出口２０は、第２及び第３のダンパー６２，６３によって閉鎖された状態にあるため、外気の流入は発生しない。また、循環する室内空気は全て加湿装置４５を通過するため、室内空間の加湿がなされる。
【図面の簡単な説明】
【００３４】
【図１】本発明による換気装置の構成を示す斜視図であって、加湿動作なしで換気がなされる状態を示すものである。
【図２】本発明による換気装置の構成を示す断面図であって、加湿動作なしで換気がなされる状態を示すものである。
【図３】本発明による換気装置の構成を示す斜視図であって、換気とともに加湿動作がなされる状態を示すものである。
【図４】図１のＩＶ−ＩＶ’線に沿う断面図であって、外気の導入なしで換気がなされる状態を示すものである。
【符号の説明】
【００３５】
１０      本体
１５      室内流入口
１６      室内排出口
１９      室外流入口
２０      室外排出口
３０      転熱交換器
３０ａ    第１の空気通路
３０ｂ    第２の空気通路
４１      第１の給気流路
４２      第２の給気流路
４３      第１の送風ファン
４４      浄化フィルター
４５      加湿装置
５１      第１の排気流路
５２      第２の排気流路
６０      迂回流路
６１      第１のダンパー
６２      第２のダンパー
６３      第３のダンパー
６４      第４のダンパー